(57)【要約】【課題】先端キャップが先端部本体に確実に装着することのできる内視鏡挿入部の先端キャップの装着ジグを提供する。【解決手段】本発明に係る装着ジグ４０は、ジグ本体４２がリング状に形成され、その中央部に貫通孔４２Ａが形成される。先端部本体１２に被せた先端キャップ１４を貫通孔４２Ａに挿入すると、先端キャップ１４の係合突起１４Ｃが先端部本体１２の溝１２Ｃに係合されて貫通孔４２Ａに挿入される。【選択図】      図３
2004229987.tif 000002
【特許請求の範囲】
【請求項１】
内視鏡挿入部の先端部本体に形成された溝に係合される突起部を有し、該突起部が前記溝に係合されることにより前記先端部本体に装着される先端キャップの装着ジグにおいて、
前記突起部が前記溝に係合した状態の先端キャップが挿通する貫通孔がジグ本体に形成され、
該貫通孔に、前記先端部本体に被せた先端キャップを挿入すると、前記突起部が前記溝に係合されて前記貫通孔に挿入されることを特徴とする内視鏡挿入部の先端キャップの装着ジグ。
【請求項２】
内視鏡挿入部の先端部本体に形成された溝に係合される突起部を有し、該突起部が前記溝に係合されることにより前記先端部本体に装着される先端キャップの装着ジグにおいて、
前記突起部が前記溝に係合した状態の先端キャップが挿通する貫通孔がジグ本体に形成されるとともに、前記先端キャップを前記貫通孔に挿入した状態に保持する保持手段が前記ジグ本体に設けられ、
前記保持手段で保持された先端キャップを前記先端部本体に被せながら前記貫通孔に挿入すると、前記突起部が前記溝に係合されて前記貫通孔に挿入されることを特徴とする内視鏡挿入部の先端キャップの装着ジグ。
【請求項３】
前記ジグ本体には、該ジグ本体と前記先端キャップとの位置関係を示す指標が設けられることを特徴とする請求項１または２に記載の内視鏡挿入部の先端キャップの装着ジグ。
【発明の詳細な説明】
【０００１】
【発明の属する技術分野】
本発明は内視鏡挿入部の先端キャップの装着ジグに係り、特に先端部本体の溝に先端キャップの突起部を係合させて装着するための装着ジグに関する。
【０００２】
【従来の技術】
医療用内視鏡の挿入部は、その先端部が金属製の先端部本体とゴム製の先端キャップとから成り、先端キャップは、先端部本体に着脱自在に装着される。先端キャップの内側には突起部が設けられ、この突起部が先端部本体の溝に係合されて先端キャップが先端部本体に装着される。
【０００３】
特許文献１には、先端部本体と先端キャップにそれぞれ指標記号を設けた内視鏡挿入部の先端部が記載されている。この先端部によれば、先端キャップを先端部本体に装着した際に、先端部本体の指標記号と先端キャップの指標記号が合わさって一つの文字を構成する。これにより、先端キャップが先端部本体に装着されたことを確認することができる。
【０００４】
【特許文献１】
特開平８−２４３０７１号公報
【０００５】
【発明が解決しようとする課題】
しかしながら、特許文献１は、小さくて柔らかいゴム製の先端キャップを先端部本体に手で被せ、二つの指標記号を合わせるため、装着作業が困難であるという欠点があった。
【０００６】
本発明はこのような事情に鑑みて成されたもので、先端キャップを先端部本体に確実に装着することのできる内視鏡挿入部の先端キャップの装着ジグを提供することを目的とする。
【０００７】
【課題を解決するための手段】
請求項１記載の発明は前記目的を達成するために、内視鏡挿入部の先端部本体に形成された溝に係合される突起部を有し、該突起部が前記溝に係合されることにより前記先端部本体に装着される先端キャップの装着ジグにおいて、前記突起部が前記溝に係合した状態の先端キャップが挿通する貫通孔がジグ本体に形成され、該貫通孔に、前記先端部本体に被せた先端キャップを挿入すると、前記突起部が前記溝に係合されて前記貫通孔に挿入されることを特徴としている。
【０００８】
請求項１に記載の発明によれば、ジグ本体の貫通孔に挿入することによって、先端キャップの突起部が先端部本体の溝に係合される。したがって、先端キャップを先端部本体に確実に装着することができる。
【０００９】
請求項２記載の発明は前記目的を達成するために、内視鏡挿入部の先端部本体に形成された溝に係合される突起部を有し、該突起部が前記溝に係合されることにより前記先端部本体に装着される先端キャップの装着ジグにおいて、前記突起部が前記溝に係合した状態の先端キャップが挿通する貫通孔がジグ本体に形成されるとともに、前記先端キャップを前記貫通孔に挿入した状態に保持する保持手段が前記ジグ本体に設けられ、前記保持手段で保持された先端キャップを前記先端部本体に被せながら前記貫通孔に挿入すると、前記突起部が前記溝に係合されて前記貫通孔に挿入されることを特徴としている。
【００１０】
請求項２に記載の発明によれば、保持手段によって先端キャップを保持しながら装着作業を行うので、装着作業を容易に行うことができる。
【００１１】
請求項３に記載の発明によれば、前記ジグ本体には、該ジグ本体と前記先端キャップとの位置関係を示す指標が設けられることを特徴としている。したがって、請求項３に記載の発明によれば、先端キャップをジグ本体の貫通孔に正しい姿勢で挿入したり、先端キャップの検査が終了したことを確認したりすることができる。
【００１２】
【発明の実施の形態】
以下添付図面に従って本発明に係る内視鏡挿入部の先端キャップの装着ジグの好ましい実施の形態について詳述する。
【００１３】
まず、本発明に係る内視鏡挿入部の先端キャップの装着ジグが使用される内視鏡挿入部の先端部の例として、側視型内視鏡の挿入部の先端部の構造について説明する。
【００１４】
図１に示すように、先端部１０は、先端部本体１２と、この先端部本体１２に着脱自在に装着される先端キャップ１４とによって構成される。
【００１５】
先端部本体１２は、ステンレスなどの耐食性の良い金属材から成り、先端部本体１２の中央位置には、起立台（不図示）が収容される起立台収容溝１６が形成される。起立台収容溝１６には処置具挿通チャンネル（不図示）が連通され、この処置具挿通チャンネルは、内視鏡挿入部に挿通されて手元操作部（不図示）に接続される。したがって、手元操作部から処置具挿通チャンネルに処置具を挿入すると、処置具が起立台収容溝１６に案内される。案内された処置具は起立台によって起立されて上方に導出される。
【００１６】
起立台収容溝１６の側方には、起立台収容溝１６を挟むようにして起立レバー収容室２０と光学系収容室２２が設けられる。
【００１７】
起立レバー収容室２０の内部には、前記起立台を揺動させるための起立レバー（不図示）が収容される。起立レバーは、揺動自在に設けられ、前記起立台と一体で揺動するようになっている。また、起立レバーには、起立ワイヤー（不図示）が接続され、この起立ワイヤーは手元操作部に接続される。したがって、手元操作部を操作することによって、起立ワイヤーが押し引きされて起立レバーが揺動され、その結果、起立台が揺動される。
【００１８】
起立レバー収容室２０の上面には、凸条部３２が先端部１０の長手方向に形成される。また、先端キャップ１４の内側には、凸条部３２に対応する位置に凹条溝３４が形成される。凸条部３２と凹条溝３４は、先端キャップ１４を先端部本体１２に装着した際に係合される。
【００１９】
一方、光学系収容室２２の内部には、撮影光学系と照明光学系が収容される。照明光学系は、照射窓２８の内側に設置された照明レンズ光学系（不図示）と、この照明レンズ光学系に先端が臨むように配置されたライトガイドとから成り、ライトガイドは、内視鏡挿入部に挿通されて、外部の光源装置（不図示）に接続される。撮影光学系は、観察窓２６の内側に配設された対物レンズ光学系（不図示）と、この対物レンズ光学系の後方にプリズムを介して配設されたＣＣＤユニット（不図示）から成り、を備え、ＣＣＤユニットはケーブルを介して外部装置（例えばプロセッサ）に接続される。
【００２０】
光学系収容室２２の上部には、送気・送水口３０が観察窓２６に向けて設けられる。送気・送水口３０は、内視鏡挿入部に挿通された送気・送水チューブ（不図示）を介して外部装置に接続されており、手元操作部の送気・送水ボタンを操作することによって、圧縮エアまたは水が送気・送水口３０から観察窓２６に向けて噴射され、観察窓２６が洗浄される。
【００２１】
観察窓２６、照射窓２８、及び送気・送水口３０は、キャップ１４を先端部本体１２に被せた際、キャップ１４の開口１４Ａに臨む位置に設けられる。
【００２２】
先端キャップ１４は、弾性力のある材質、例えばシリコンゴムからなり、その基端１４Ｂの内周面には、突起部１４Ｃが全周にわたって形成される。この突起部１４Ｃは、先端部本体１２の外周面に形成された溝１２Ｃが係合される。図２に示すように、突起部１４Ｃが溝１２Ｃに係合されることによって、キャップ１４が先端部本体１２に装着される。
【００２３】
本発明に係る装着ジグは、上述した先端部本体１２を先端キャップ１４に装着するための工具である。
【００２４】
図３は装着ジグ４０の正面図であり、図４は装着ジグ４０の側面断面図である。
【００２５】
これらの図に示すように、装着ジグ４０は、リング状のジグ本体４２を有し、このジグ本体４２の中央に貫通孔４２Ａが形成される。貫通孔４２Ａは、先端キャップ１４の形状に合わせて形成されており、先端キャップ１４が先端部本体１２に完全に装着されている時（すなわち、突起部１４Ｃが溝１２Ｃに係合している時）にのみ、先端キャップ１４が貫通孔４２Ａを通過するように形成されている。したがって、図５に示すように、先端キャップ１４が先端部本体１２に完全に装着されてない時には、その状態のままで貫通孔４２Ａを通過しないようになっている。図５に示した先端キャップ１４は、図７（Ａ）或いは図７（Ｂ）に示すように、突起部１４Ｃが先端部本体１２の外周面にめくれあがっており、その部分の厚さｂ、ｃは、その他の部分の先端キャップ１４の厚さａよりも大きくなっている。ジグ本体４２の貫通孔４２Ａは、先端部本体１２の外面とのクリアランスｄが、厚さａよりも大きく、且つ、厚さｂ、ｃよりも小さくなるように形成されている。したがって、図５に示したジグ本体４２を、先端部本体１２に対して相対的に図５の右方向に移動させると、先端キャップ１４は基端部１４Ｂが貫通孔４２Ａの周縁部に引っ掛かってジグ本体４２とともに移動する。そして、図８に示す如く先端キャップ１４の突起部１４Ｃが、先端部本体１２の溝１２Ｃに係合する。これにより、図６に示すように先端キャップ１４が貫通孔１４Ａに挿入される。
【００２６】
図３に示すように、ジグ本体４２には、ジグ本体４２と先端キャップ１４の位置関係を示すための指標記号が複数設けられている。例えば、指標記号４４Ａ、４４Ｂは、装着する先端部の種類を示すとともに、ジグ本体４２の上下を示している。したがって、指標記号４４Ａ、４４Ｂを用いて、ジグ本体４２の上下と先端キャップ１４の上下とを合わせることができ、先端キャップ１４をジグ本体４２の貫通孔４２Ａに正しい姿勢で挿入することができる。
【００２７】
また、図３の指標記号４４Ｃは、先端キャップ１４に設けた指標記号４６（図１参照）の位置に合わせて形成される。先端キャップ１４の指標記号４６は、印刷、或いは凹状に窪みを設けることによって形成され、周方向に線状に形成される。この指標記号４６の位置に指標記号４４Ｃを合わせることによって先端キャップ１４を正しい姿勢で貫通孔４２Ａに挿入することができる。また、先端キャップ１４の指標記号４６は、装着作業の終了を示す位置に形成される。すなわち、貫通孔４２Ａに先端キャップ１４を先端側から挿入すると、突起部１４Ｃが貫通孔４２Ａに挿入された際に、貫通孔４２Ａから現れるようになっている。したがって、指標記号４６が貫通孔４２Ａから現れたことによって、先端キャップ１４の突起部１４Ｃが貫通孔４２Ａに挿入されて装着が完全に終了したことが分かる。
【００２８】
次に上記の如く構成された装着ジグ４０の作用について説明する。
【００２９】
まず、先端キャップ１４を先端部本体１２に被せる。このとき、先端キャップ１４が先端部本体１２の先端に被さっていればよく、突起部１４Ｃを溝１２Ｃに係合させる必要はない。
【００３０】
次に、先端部本体１２に被せた先端キャップ１４を、ジグ本体４２の貫通孔４２Ａに挿入する。その際、図５に示す如く先端キャップ１４の基端部１４Ｂが貫通孔４２Ａの周縁部に引っ掛かかり、先端キャップ１４がジグ本体４２とともに移動する。そして、先端キャップ１４の基端部１４Ｂの位置が先端部本体１２の溝１２Ｃの位置に一致した際に、突起部１４Ｃが溝１２Ｃに係合する。これにより、図６に示すように、先端キャップ１４が貫通孔４２Ａを通過するようになる。このとき、先端キャップ４２の指標記号４６が貫通孔４２Ａから現れるので、装着作業が終了したことを視認できる。
【００３１】
このように本実施の形態の装着ジグ１０によれば、先端部本体１２への装着が不完全な先端キャップ１４をジグ本体４２の貫通孔４２Ａに挿入すると、先端キャップ１４が先端部本体１２に装着される。
【００３２】
なお、先端キャップ１４を先端部本体１２に最初に被せた際に、突起部１４Ｃが溝１２Ｃに係合されていた場合には、先端キャップ１４は基端部１４Ｂが貫通孔４２Ａに引っ掛からずに貫通孔４２Ａに挿入される。その際、指標記号４６が貫通孔４２Ａから現れるので、装着作業が終了していることを視認できる。
【００３３】
上述した実施の形態は、先端キャップ１４を先端部本体１２に予め被せておき、これをジグ本体４２の貫通孔４２Ａに挿入するようにした例であるが、装着作業の手順はこれに限定するものではない。先端キャップ１４をジグ本体４２に保持しておき、この先端キャップ１４に先端部本体１２を差し込んで、先端キャップ１４を貫通孔４２Ａに挿入するようにしてもよい。その場合、ジグ本体４２に、先端キャップ１４の保持手段を設けるとよい。例えば、図９（Ａ）に示すジグ本体４２には、保持手段として一対のピン４８、４８が設けられている。この一対のピン４８、４８は、対向する位置に取り付けられ、ジグ本体４２の径方向にスライド自在に支持される。また、各ピン４８は、スプリング５０によって外側に付勢されており、待機時にはピン４８の内側先端４８Ａが貫通孔４２Ａから退避している。このピン４８をスプリング５０の付勢力に抗してピン４８を内側に押圧すると、ピン４８の内側先端４８Ａがジグ本体４２の貫通孔４２Ａに進出する。
【００３４】
ジグ本体４２の貫通孔４２Ａの周縁部には、孔径の大きい大径部４２Ｂが形成される。
【００３５】
上記の如く構成された装着ジグ４０を使用する場合、まず、ジグ本体４２の貫通孔４２Ａに先端キャップ１４を挿入する。そして、図９（Ｂ）に示すように、先端キャップ１４の基端部１４Ｂがジグ本体４２の端面に合う状態で、ピン４８を外側から押圧する。これにより、ピン４８の内側先端４８Ａが貫通孔４２Ａの内周面から突出し、先端キャップ１４が挟圧保持される。
【００３６】
次に、先端キャップ１４の内部に先端部本体１２を差し込む。このとき、先端キャップ１４の基端部１４Ｂは外側に拡げられてジグ本体４２の大径部４２Ｂに収まる。
【００３７】
先端部本体１２の先端をピン４８の内側先端４８Ａの位置まで差し込んだ後、ピン４８の押圧操作を辞める。そして、ピン４８の内側先端４８Ａが貫通孔４２Ａから退避移動した状態で、先端部本体１２を先端キャップ１４の内側にさらに差し込む。このとき、先端キャップ１４の基端部１４Ｂは外側に膨らんで大径部４２Ｂに収容された状態でジグ本体４２に引っ掛かっているので、先端キャップ１４は、ジグ本体４２に対して固定されている。
【００３８】
先端部本体１２を先端キャップ１４にさらに差し込むと、基端部１４Ｂの突起部１４Ｃが溝１２Ｃに係合する。そして、先端キャップ１４が先端部本体１２とともに貫通孔４２Ａに挿入される。これにより、先端キャップ１４が先端部本体１２に装着される。
【００３９】
このようにジグ本体４２に先端キャップ１４を保持すると、先端キャップ１４と先端部本体１２との装着作業を容易に行うことができる。
【００４０】
なお、先端キャップ１４を保持する保持手段は、図９に示したピン４８、４８に限定されるものではなく、例えば、図１０に示すように板ばね部材５２、５２を用いてもよい。板ばね部材５２、５２は、先端キャップ１４の外寸よりも若干小さく間隔ｔで設置される。したがって、板ばね部材５２、５２の間に先端キャップ１４を差し込むと、板ばね部材５２、５２同士の間隔が拡がって先端キャップ１４が保持される。このような保持手段を用いても、先端キャップ１４の挿通作業を容易に行うことができる。
【００４１】
また、上述した実施の形態は、ジグ本体４２に貫通孔４２Ａを一つのみ形成したが、図１１に示すように、長円状のジグ本体５６に複数の貫通孔５６Ａ、５６Ｂ、５６Ｃを設けてもよい。これにより、共通の装着ジグを用いて複数種の先端部に対応することができる。この場合にも各貫通孔５６Ａ〜５６Ｃに先端キャップ１４の保持手段（不図示）を設けたり、指標記号を５８Ａ〜５８Ｃ設けるとよい。
【００４２】
また、ジグ本体４２、５６や先端キャップ１４に設ける指標記号の種類は上述した実施の形態に限定されるものではなく、ジグ本体４２、５６と先端キャップ１４との位置関係が分かるものであればよい。例えば、図１２に示すように、先端キャップ１４の外周面に軸方向の指標記号６２を設けるとともに、その指標記号６２に合わせてジグ本体４２の外周面に指標記号６４を形成してもよい。指標記号６２と指標記号６４の位置が合うように先端キャップ１４を貫通孔４２Ａに誘導することにより、先端キャップ１４を貫通孔４２Ａに挿入することができる。
【００４３】
なお、上述した装着ジグ４０は、先端キャップ１４を先端部本体１２に装着するための工具としてだけでなく、先端キャップ１４が先端部本体１２に装着されているか否かを検査する検査ジグとしても使用することができる。
【００４４】
また、上述した内視鏡挿入部の先端部１０は、観察方向と挿入方向とが直交している側視型内視鏡についての構成例であるが、内視鏡挿入部の先端部の構造はこれに限定されるものではなく、挿入方向と観察方向とが同じである直視型内視鏡においても本発明のジグを使用することができる。
【００４５】
【発明の効果】
以上説明したように本発明に係る装着ジグによれば、ジグ本体の貫通孔に挿通させることによって先端キャップの突起部が先端部本体の溝に係合されるので、先端キャップを先端部本体に確実に装着することができる。
【図面の簡単な説明】
【図１】本発明を用いて装着される側視型内視鏡の先端部の構造を示す組立図
【図２】先端キャップが先端部本体に装着された先端部を示す側面図
【図３】本発明に係る内視鏡挿入部の先端キャップの装着ジグを示す正面図
【図４】図３の４−４線に沿う断面図
【図５】装着終了前の先端キャップと装着ジグを示す断面図
【図６】装着終了後の先端キャップと装着ジグを示す断面図
【図７】図５のＰ部拡大図
【図８】図６のＱ部拡大図
【図９】先端キャップの保持手段を備えた装着ジグを示す断面図
【図１０】図８と異なる保持手段を備えた装着ジグを示す断面図
【図１１】複数種の内視鏡挿入部の先端部に共通で使用される装着ジグを示す正面図
【図１２】他の指標記号が形成された装着ジグを示す側面図
【符号の説明】
１０…先端部、１２…先端部本体、１４…キャップ、１６…起立台収容溝、２０…起立レバー収容室、２２…光学系収容室、２６…観察窓、２８…照射窓、３０…送気・送水口、３２…凸条部、３４…凹条溝、４０…装着ジグ、４２…ジグ本体、４２Ａ…貫通孔、４４Ａ〜４４Ｃ…指標記号、４６…指標記号、４８…ピン、５０…スプリング、５２…板ばね部材、５６…ジグ本体、５６Ａ〜５６Ｃ…貫通孔、５８Ａ〜５８Ｃ…指標記号
【図１】
2004229987.tif 000003
【図２】
2004229987.tif 000004
【図３】
2004229987.tif 000005
【図４】
2004229987.tif 000006
【図５】
2004229987.tif 000007
【図６】
2004229987.tif 000008
【図７】
2004229987.tif 000009
【図８】
2004229987.tif 000010
【図９】
2004229987.tif 000011
【図１０】
2004229987.tif 000012
【図１１】
2004229987.tif 000013
【図１２】
2004229987.tif 000014